(57)【特許請求の範囲】
【請求項１】
集塵ユニットと電動送風機とマイクロコンピュータとを有する掃除機本体と、
前記掃除機本体に接続するサクションホースと、
前記サクションホースに接続する接続パイプと、
前記接続パイプに設けられた操作表示部と、
を有する電気掃除機において、
前記掃除機本体には、塵挨を含む気流を吸い込む吸気側ホース接続口と、塵挨を分離した気流を排気する排気側ホース接続口と、が形成され、
前記サクションホースは、前記吸気側ホース接続口または前記排気側ホース接続口に接続する接続部を有し、
前記接続部には、前記操作表示部と電気的に接続する接続端子が設けられ、
前記吸気側ホース接続口には、前記接続部が前記吸気側ホース接続口に接続すると前記接続端子と接続する吸気側端子受け部が設けられ、
前記排気側ホース接続口には、前記接続部が前記排気側ホース接続口に接続すると前記接続端子と接続する排気側端子受け部が設けられ、
前記吸気側端子受け部及び前記排気側端子受け部は、前記マイクロコンピュータと電気的に接続し、
前記マイクロコンピュータは、前記操作表示部から前記吸気側端子受け部または前記排気側端子受け部を介して入力された信号に基づき前記電動送風機を制御する制御手段と、前記接続部が前記排気側ホース接続口に接続されたことを検出する接続検出手段と、を備え、
前記制御手段は、前記接続部が前記排気側ホース接続口に接続されたことが前記接続検出手段によって検出されたときの前記電動送風機の出力を、前記吸気側ホース接続口に前記接続部が接続されたときの前記電動送風機の出力とは異なる出力にすることを特徴とする電気掃除機。
【請求項２】
集塵ユニットと電動送風機とマイクロコンピュータとを有する掃除機本体と、
前記掃除機本体に接続するサクションホースと、
前記サクションホースに接続する接続パイプと、
前記接続パイプに設けられた操作表示部と、
を有する電気掃除機において、
前記掃除機本体には、塵挨を含む気流を吸い込む吸気側ホース接続口と、塵挨を分離した気流を排気する排気側ホース接続口と、が形成され、
前記サクションホースは、前記吸気側ホース接続口または前記排気側ホース接続口に接続する接続部を有し、
前記接続部には、前記操作表示部と電気的に接続する接続端子が設けられ、
前記吸気側ホース接続口には、前記接続部が前記吸気側ホース接続口に接続すると前記接続端子と接続する吸気側端子受け部が設けられ、
前記排気側ホース接続口には、前記接続部が前記排気側ホース接続口に接続すると前記接続端子と接続する排気側端子受け部が設けられ、
前記吸気側端子受け部及び前記排気側端子受け部は、前記マイクロコンピュータと電気的に接続し、
前記マイクロコンピュータは、前記操作表示部から前記吸気側端子受け部または前記排気側端子受け部を介して入力された信号に基づき前記電動送風機を制御する制御手段と、前記接続部が前記排気側ホース接続口に接続されたことを検出する接続検出手段と、前記排気側ホース接続口の排気温度を検出する排気温度検出手段と、を備え、
前記制御手段は、前記サクションホースが前記排気側ホース接続口に接続されたことが前記接続検出手段によって検出されたときは前記排気温度検出手段が検出した結果に基づき前記電動送風機の出力を変更することを特徴とする電気掃除機。
【請求項３】
前記制御手段は、前記排気温度検出手段が検出した排気温度があらかじめ設定された閾値以上のときに前記電動送風機を停止させることを特徴とする請求項２に記載の電気掃除機。
【請求項４】
前記制御手段は、前記排気温度検出手段が検出した排気温度があらかじめ設定された閾値以上になってから所定時間後に前記排気温度検出手段が検出した排気温度が前記閾値以上のときに前記電動送風機を停止させることを特徴とする請求項２に記載の電気掃除機。
【請求項５】
集塵ユニットと電動送風機とマイクロコンピュータとを有する掃除機本体と、
前記掃除機本体に接続するサクションホースと、
前記サクションホースに接続する接続パイプと、
前記接続パイプに設けられた操作表示部と、
を有する電気掃除機において、
前記掃除機本体には、塵挨を含む気流を吸い込む吸気側ホース接続口と、塵挨を分離した気流を排気する排気側ホース接続口と、が形成され、
前記サクションホースは、前記吸気側ホース接続口または前記排気側ホース接続口に接続する接続部を有し、
前記接続部には、前記操作表示部と電気的に接続する接続端子が設けられ、
前記吸気側ホース接続口には、前記接続部が前記吸気側ホース接続口に接続すると前記接続端子と接続する吸気側端子受け部が設けられ、
前記排気側ホース接続口には、前記接続部が前記排気側ホース接続口に接続すると前記接続端子と接続する排気側端子受け部が設けられ、
前記吸気側端子受け部及び前記排気側端子受け部は、前記マイクロコンピュータと電気的に接続し、
前記マイクロコンピュータは、前記操作表示部から前記吸気側端子受け部または前記排気側端子受け部を介して入力された信号に基づき前記電動送風機を制御する制御手段と、前記接続部が前記排気側ホース接続口に接続されたことを検出する接続検出手段と、報知手段と、を備え、
前記報知手段は、前記接続部が前記排気側ホース接続口に接続されたことが前記接続検出手段によって検出されたときは、前記接続部が前記吸気側ホース接続口に接続されたときとは異なる表示を前記操作表示部の表示部にさせることを特徴とする電気掃除機。
【発明の詳細な説明】
【技術分野】
【０００１】
本発明は、電気掃除機に関する。
【背景技術】
【０００２】
従来から、本体内部に電動送風機を備え、電動送風機の動作により生み出された気流を排気する排気口にブロワホースを接続して、本体から排出される排気をブロワーの気流に用いる電気掃除機がある（例えば、特許文献１参照）。
【先行技術文献】
【特許文献】
【０００３】
【特許文献１】実開平１−１４９７５５号公報
【発明の概要】
【発明が解決しようとする課題】
【０００４】
しかしながら従来の構成では、ブロワホースに設けられた把持部（ハンドル）において、電動送風機の出力を調整する操作部が無いため、把持部で電動送風機の出力を調整できず、ブロワーの風量を調整することができないという課題と、ブロワホースが接続されたことを検出できないという課題と、がある。
【０００５】
本発明は、上記のような課題を解決する為になされたもので、本体から排出される排気をブロワーに用いることができ、ブロワー機能として用いる際に把持部において容易に電動送風機の出力、つまり、ブロワーの風量を調整できると共に排気口側にブロワホースが接続されたことを検出することでブロワー専用の風量調整ができる電気掃除機を提供することを目的とする。
【課題を解決するための手段】
【０００６】
上記の課題を解決する電気掃除機は、集塵ユニットと電動送風機とマイクロコンピュータとを有する掃除機本体と、掃除機本体に接続するサクションホースと、サクションホースに接続する接続パイプと、接続パイプに設けられた操作表示部と、を有する。掃除機本体には、塵挨を含む気流を吸い込む吸気側ホース接続口と、塵挨を分離した気流を排気する排気側ホース接続口と、が形成され、サクションホースは、吸気側ホース接続口または排気側ホース接続口に接続する接続部を有し、接続部には、操作表示部と電気的に接続する接続端子が設けられ、吸気側ホース接続口には、接続部が吸気側ホース接続口に接続すると接続端子と接続する吸気側端子受け部が設けられ、排気側ホース接続口には、接続部が排気側ホース接続口に接続すると接続端子と接続する排気側端子受け部が設けられ、吸気側端子受け部及び排気側端子受け部は、マイクロコンピュータと電気的に接続する。マイクロコンピュータは、操作表示部から吸気側端子受け部または排気側端子受け部を介して入力された信号に基づき電動送風機を制御する制御手段と、接続部が排気側ホース接続口に接続されたことを検出する接続検出手段と、を備える。
【発明の効果】
【０００７】
本発明によれば、電気掃除機を通常の用い方である床面から塵挨を吸引する吸引動作を行う際も、排気を用いてブロアーとして用いるブロアーモードの場合も、それぞれ適した制御をおこなうことが可能な電気掃除機を提供することができる。
【図面の簡単な説明】
【０００８】
【図１】実施の形態１に係る電気掃除機の斜視図
【図２】実施の形態１に係る掃除機本体の斜視図
【図３】実施の形態１に係る掃除機本体の上面図
【図４】実施の形態１に係る掃除機本体の後面図
【図５】実施の形態１に係るサクションホース５の接続部５ｂの斜視図
【図６】実施の形態１に係る集塵ユニットの斜視図
【図７】実施の形態１に係る集塵ユニットの分解斜視図
【図８】図６におけるＣ−Ｃ断面図
【図９】図３におけるＡ−Ａ断面図
【図１０】実施の形態１に係る排気口にサクションホース５を接続した状態の排気側接続部の略中央部における断面図
【図１１】図１０に示すＢ部の拡大図
【図１２】図１０の状態の掃除機本体６の全体斜視図
【図１３】実施の形態１に係る電気掃除機の構成を示すブロック図
【図１４】実施の形態１に係る電気掃除機の動作を示すフローチャート
【図１５】実施の形態２に係る電気掃除機の動作を示すフローチャート
【図１６】実施の形態３に係る電気掃除機の構成を示すブロック図
【図１７】実施の形態３に係る電気掃除機の動作を示すフローチャート
【図１８】実施の形態４に係る電気掃除機の動作を示すフローチャート
【図１９】実施の形態５に係る電気掃除機の動作を示すフローチャート
【発明を実施するための形態】
【０００９】
(実施の形態１)
以下、図面を参照して本発明の実施の形態について説明する。
図１は、本発明の実施の形態１に係る電気掃除機１の斜視図である。図２は、掃除機本体６の斜視図である。図３は、掃除機本体６の上面図である。図４は、掃除機本体６の後面図である。図５は、サクションホース５の接続部５ｂの斜視図である。図６は、集塵ユニット１３の斜視図である。図７は、集塵ユニット１３の分解斜視図である。図８は、図６におけるＣ−Ｃ断面図である。図９は、図３におけるＡ−Ａ断面図である。図１０は、排気口５０にサクションホース５を接続した状態の断面図である。図１１は、図１０に示すＢ部の拡大図である。図１２は、図１０の状態の掃除機本体６の斜視図である。
【００１０】
図１〜図４に示すように、本実施の形態１の電気掃除機１は、例えば、吸込口体２、吸引パイプ３、接続パイプ４、サクションホース５及び掃除機本体６（以下、本体６）を備える。
吸込口体２は、下向きに形成された開口（図示せず）から、床面上のごみ（塵埃）を空気と一緒に吸い込むためのものである。吸込口体２は、長手方向の中央部に円筒状の接続部２ａを備える。上記開口と接続部２ａとは、吸込口体２の内部で通じている。
吸引パイプ３は、円筒状の真直ぐな部材からなる。そして、吸引パイプ３は、伸縮自在な構成を有する。また、吸引パイプ３は、一側の端部が吸込口体２の接続部２ａに接続する。吸込口体２は、吸引パイプ３に着脱自在である。
【００１１】
接続パイプ４は、途中で折れ曲がった円筒状の部材からなる。接続パイプ４は、一側の端部が吸引パイプ３の他側の端部に接続される。吸引パイプ３は、接続パイプ４に着脱自在である。
また、接続パイプ４には、ハンドル７が設けられる。ハンドル７は、掃除をする人が持つ把持部である。ハンドル７には、操作部８ａ、表示部８ｂ（操作表示部８）が設けられる。操作表示部８は、電気掃除機１の運転を指示するための複数のボタン（操作部）８ａや運転状態を示す表示ランプ（表示部）８ｂを備える。
【００１２】
操作部８ａに備えられるボタンの例として、後述する電動送風機７０を作動・停止させる入・切ボタンや、電動送風機７０の出力を変化させて吸引力を調整する出力調整ボタン等がある。また、備えられる表示ランプの例として、電動送風機７０の出力（吸引力）を示す出力ランプや、運転モードを示す運転モードランプ等がある。
これらのボタンを構成するスイッチや表示ランプは、印刷配線基板（図示せず）に実装されており、本体６から供給される電力により動作する。
【００１３】
サクションホース５は、蛇腹状の細長い部材からなる。サクションホース５は、蛇腹状であるため任意の方向に曲がる。サクションホース５は、一側の端部が接続パイプ４の他側の端部に接続される。掃除機本体６の前面には、前方に向けて開口する吸気側ホース接続口９が形成される。掃除機本体６の吸気側ホース接続口９は、サクションホース５の他側の端部が接続し、塵挨を含む気流を取り込む。
【００１４】
ここで、サクションホース５の内部には、上記の操作表示部８を構成する印刷配線基板に接続して、他側の端部に至る複数のリード線５ａが設けられている。
このリード線５ａは、本体６に設けられた制御手段（図示せず）から操作表示部８に電力を供給したり、制御手段からの信号を操作表示部８に入力したり、操作表示部８におけるスイッチ操作による信号を制御手段に出力したり、吸込口体２に電動の回転ブラシを備える場合、この回転ブラシを駆動するモーターを制御する制御基板に電力を供給する。
制御手段は、操作表示部８への入力や各部に設けられた各種センサからの入力に基づき、電動送風機７０の出力や表示ランプの制御をおこなう。
【００１５】
そして、図５を参照すると、サクションホース５の他側の端部には、吸気側ホース接続口９に着脱自在に接続する接続部５ｂが形成される。この接続部５ｂには、リード線５ａに電気的に接続する接続端子５ｃが設けられる。接続端子５ｃは棒形状をなし、長手方向が、吸気側ホース接続口９に対する接続部５ｂの接続方向と一致している。接続端子５ｃは、操作表示部８と電気的に接続している。
上記の吸気側ホース接続口９には、サクションホース５の接続部５ｂが接続した際に、接続端子５ｃと接続する接続部となる吸気側端子受け部９ａが設けられている。この吸気側端子受け部９ａは、制御手段と電気的に接続している。尚、サクションホース５は、接続部５ｂに対して回転自在に構成されている。
【００１６】
吸気側端子受け部９ａに接続端子５ｃが接続することで、操作表示部８が制御手段に電気的に接続する。これにより、操作表示部８が本体６（制御手段）から電力の供給や制御信号を受けたり、使用者がスイッチを操作することによる信号を制御手段に出力できるので、操作表示部８から電動送風機７０の出力を変更可能となる。
つまり、使用者がハンドル７を持ったまま操作表示部８を操作して、電動送風機７０の出力を変更して、吸引力を調整することができる。また、接続部５ｂには、吸気側ホース接続口９に接続した際に、吸気側ホース接続口９に形成された凹部に係合する係合手段５ｄと、係合状態を解除する係合解除ボタン５ｅが設けられている。
【００１７】
次に図９を参照すると、掃除機本体６は、電動送風機７０（図１では図示せず）及び電源コード１１を備える。電源コード１１は、掃除機本体６の内部に設けられたコードリール部（図示せず）に巻き付けられる。
電源コード１１が外部の電源に接続されると、電動送風機７０や操作表示部８等が通電可能となる。電動送風機７０は、電源コード１１が電源に接続されると、操作表示部８に対する操作に応じて予め設定された吸引動作を行う。
【００１８】
以上のようにそれぞれ接続する吸込口体２、吸引パイプ３、接続パイプ４及びサクションホース５は、内部が一続きに形成される。電動送風機７０が吸引動作を行うと、床面上のごみ等の塵埃が空気と一緒に吸込口体２に吸い込まれる。
吸込口体２の内部に流入した塵埃を含む空気は、吸引パイプ３、接続パイプ４及びサクションホース５の各内部を通って本体６に送られる。吸込口体２、吸引パイプ３、接続パイプ４及びサクションホース５は、外部から本体６にごみ等の塵埃を含む空気を流入させるための風路を形成する。
尚、本発明において、塵埃とは、ごみだけでなく、繊維、毛、綿毛、土砂、粉末、粉体等も包含する概念である。本発明では、塵埃を含む空気（塵埃と空気の混合物）を含塵空気と称する。
【００１９】
以下の説明では、掃除機本体６が真っ直ぐ前に進むときの進行方向を基準として左右を特定する。すなわち、図３の上を右、図３の下を左、図３の左を進行方向とする。
掃除機本体６は、収容ユニット１２と塵挨を捕集する集塵部となる集塵ユニット１３とを備える。集塵ユニット１３は、収容ユニット１２に対して着脱自在に搭載される。
【００２０】
収容ユニット１２は、電動送風機７０及び電源コード１１を備える収容部である。また、収容ユニット１２は、例えば、後部収容体１４及び前部収容体１５と吸気風路形成部１６と排気風路形成部１７と車輪１８とを備える。
電動送風機７０及び電源コード１１は、後部収容体１４に収容される。前部収容体１５は上方に向けて開口し、開口内部に収容部１５ａを形成する。収容部１５ａは、集塵ユニット１３を収容するための空間である。後部収容体１４及び前部収容体１５は、例えば成型品である。
【００２１】
吸気風路形成部１６は、吸気風路１９を形成する。吸気風路１９は、収容ユニット１２に形成された風路である。吸気風路１９は、サクションホース５を通過した含塵空気を集塵ユニット１３に導くための風路である。
吸気風路形成部１６は、一端が収容ユニット１２の前面で開口する。吸気風路形成部１６のこの一端は、吸気側ホース接続口９を形成する。吸気風路形成部１６は、他端が前部収容体１５で開口する。吸気風路形成部１６のこの他端は、集塵ユニット１３との接続口を形成する。
【００２２】
集塵ユニット１３は、吸気風路１９から流入した含塵空気から塵埃を分離する機能を有する。集塵ユニット１３は、含塵空気を高速で旋回させることにより、遠心力によって塵埃を分離する。
すなわち、集塵ユニット１３は、含塵空気の分離方式がサイクロン分離方式である。また、集塵ユニット１３は、分離した塵埃を捕集し、一時的に溜めておく機能を有する。
【００２３】
ここで図６〜図９を参照して、集塵ユニット１３について説明する。
各図に示すように集塵ユニット１３は、全体として、円筒形状を成しており、集塵ユニット１３は、排出部ケース２３、フィルター部ケース２４、流入部ケース２５及び集塵部ケース２６から構成される。
【００２４】
これらの排出部ケース２３、フィルター部ケース２４、流入部ケース２５及び集塵部ケース２６は、例えば、樹脂成型品からなる。排出部ケース２３、フィルター部ケース２４、流入部ケース２５及び集塵部ケース２６は、所定の操作（例えば、ロック機構に対する操作等）により、図７に示す状態に分解したり、図６に示す状態に組み立てたりすることができるように構成されている。また、図６に示す状態から、集塵部ケース２６のみを取り外すこともできる。
【００２５】
以下、排出部ケース２３、フィルター部ケース２４、流入部ケース２５及び集塵部ケース２６を組み合わせて構成された集塵ユニット１３について説明する。また、以下の集塵ユニット１３に関する説明においては、図８に示す向きを基準に、上下を特定する。
図６〜図８に示すように、流入部ケース２５の前側には、流入口２５ａが形成される。また、排出部ケース２３の後側には、流出口２３ａが形成される。流出口２３ａは、流入口２５ａよりも上方の位置に配置されている。
【００２６】
図７〜図９に示すように、流入部ケース２５は、流入口２５ａから内部に含塵空気を導入する部位であり、内部に旋回室２５ｂを備えている。旋回室２５ｂの上部は、円筒部２５ｃからなる。旋回室２５ｂの下部は、円錐部２５ｄからなる。
【００２７】
円筒部２５ｃは、中空の円筒形状を成している。円筒部２５ｃは、断面中心軸線Ｌが上下方向を向くように配置される。円錐部２５ｄは、先端部が切り取られた中空の円錐状を呈する。円錐部２５ｄは、断面中心軸線Ｌが円筒部２５ｃの中心軸線と一致するように、上下方向に配置される。
円錐部２５ｄは、上端部が円筒部２５ｃの下端部に接続され、下方に向かうに従って径が小さくなるように、円筒部２５ｃの下端部から下方に延びるように設けられる。
【００２８】
このように形成された円筒部２５ｃの内部空間と円錐部２５ｄの内部空間とからなる一続きの空間は、旋回室２５ｂを構成する。旋回室２５ｂは、流入口２５ａより導入した含塵空気を旋回させるための空間である。
図８に示すように、円筒部２５ｃの上部（旋回室２５ｂを形成する側壁の上部）には、流入口２５ａが開口する。流入口２５ａから流入する含塵空気は、円筒形状の旋回室２５ｂの側面に沿って流入する。
【００２９】
次に、図７〜図９に示すように、旋回室２５ｂの円筒部２５ｃの側壁には、０次開口部２５ｅが形成されている。０次開口部２５ｅは、流入口２５ａよりも旋回室２５ｂの中心軸線Ｌ方向の下方に配置される。
さらに言えば、０次開口部２５ｅは、流入口２５ａよりも、旋回室２５ｂの中心軸線Ｌ方向の下方、すなわち、旋回室２５ｂ内で生じる旋回流における下流側に配置される。
【００３０】
次に、旋回室２５ｂを形成する円錐部２５ｄの下端部は、下方向（中心軸線Ｌ方向）を向いて開口する。円錐部２５ｄの下端部に形成されたこの開口が、１次開口部２５ｆである。したがって、この１次開口部２５ｆは０次開口部２５ｅより旋回室２５ｂ内で生じる旋回流における下流側に配置されている。
また、円錐部２５ｄの外側には、隔壁３０が設けられている。この隔壁３０は、円筒部２５ｃとほぼ同径の略円筒状を呈する。隔壁３０の上端は、円筒部２５ｃと円錐部２５ｄとの接続部近傍に接続されている。
【００３１】
次に、集塵部ケース２６は、下方が閉じ、上方が開口したカップ形状を成している。集塵部ケース２６は、流入部ケース２５の外側及び下方側に配置される。つまり、集塵部ケース２６の内側に、旋回室２５ｂを形成する円筒部２５ｃと円錐部２５ｄが位置する。
この状態において、流入部ケース２５の円筒部２５ｃの０次開口部２５ｅの上端よりも下方側と、円錐部２５ｄ及び隔壁３０の全体が、集塵部ケース２６内に収容される。また、隔壁３０の下端部が、集塵部ケース２６の底面に設けられたシール材と密着する。
そして、集塵部ケース２６の開口２６ａは、流入部ケース２５の外周面からフランジ状に突出した蓋部２５ｇにより密閉される。
【００３２】
そして、流入部ケース２５と集塵部ケース２６との間に形成された空間は、隔壁３０により２つに区切られる。こうしてできた２つの空間のうち、円筒部２５ｃ及び隔壁３０の外側に形成された空間が０次集塵室３１であり、円錐部２５ｄの下方及び外側であって隔壁３０の内側に形成された空間が１次集塵室３２である。
つまり、集塵部ケース２６と流入部ケース２５の外面の間に形成される空間は、旋回室２５ｂから排出された塵埃を保持する集塵室３１，３２となっている。
【００３３】
０次集塵室３１は、０次開口部２５ｅと連通しており、旋回室２５ｂの外側全周を覆うように包囲している。また、０次集塵室３１は、０次開口部２５ｅから下方に延在している。１次集塵室３２は、１次開口部２５ｆの下方から円錐部２５ｄの外側全周へ延在している。
【００３４】
次に、フィルター部ケース２４は、円筒部２５ｃの上開口を覆うように設けられる。フィルター部ケース２４には、メッシュ状の排出口２４ａが形成されている。排出口２４ａは、上部が略円筒形状、下部が略円錐形状の管の側壁及び下方の一部を開口して形成される微細孔により構成される。
【００３５】
よって、旋回室２５ｂ内の上方における気流の旋回力が増大し分離性能をさらに向上することができる。そして、この排出口２４ａと流出口２３ａとが、排出部ケース２３に形成された排出管２３ｂにより連通される。
排出管２３ｂは主に排出部ケース２３により形成されている。なお、排出口２４ａはフィルター部ケース２４に形成されており、旋回室２５ｂの上端壁は、フィルター部ケース２４の底面の一部により形成される。
【００３６】
以上のような構成を有する集塵ユニット１３が、収容部１５ａに適切に取り付けられると、流入口２５ａが吸気風路１９と接続して吸気側ホース接続口９と連通し、流出口２３ａが接続口２２と接続して排気風路２１と連通した状態となる。
【００３７】
次に、図９を参照して、集塵ユニット１３の機能について説明する。尚、吸気風路１９から後述する本体６の排気口５０に至る気流の流れは、図において経路Ｗとして実線の矢印で示されている。排気口５０は、塵挨を分離した気流を本体６から排気する開口である。
図９を参照すると、電動送風機７０の吸引動作が開始されると、吸込口体２から吸込まれた含塵空気は、上述した通り、吸気風路１９を通過し、流入口２５ａから集塵ユニット１３の内部へと流入する。
【００３８】
集塵ユニット１３の内部に流入した含塵空気は、旋回室２５ｂを構成する円筒部２５ｃの内周面に沿って流入する。
取り込まれた含塵空気は、旋回室２５ｂ内において、側壁に沿って所定の方向に回る旋回気流を形成する。この旋回気流は、その経路構造によって下向きに流れていく。
【００３９】
そして、この旋回気流（旋回室２５ｂ内の空気流）に含まれるごみには、遠心力が作用する。例えば、繊維ごみや毛髪といった比較的嵩の大きなごみ（以下、このようなごみのことを「ごみα」という）は、この遠心力によって、円筒部２５ｃの内周面（旋回室２５ｂの内壁面）に押し付けられながら、旋回室２５ｂ内を下方向に移動する。
【００４０】
ごみαは、０次開口部２５ｅの高さに達すると旋回気流から分離され、０次開口部２５ｅを通過して０次集塵室３１に送られる。そして、０次開口部２５ｅから０次集塵室３１に進入したごみαは、０次集塵室３１内を落下して、０次集塵室３１内部に捕集される。  つまり、ごみαは、旋回室２５ｂとは独立した空間となっている０次集塵室３１に送られ、旋回気流の影響が少ない状態で０次集塵室３１内部に保持される。
【００４１】
次に、０次開口部２５ｅから０次集塵室３１に進入しなかったごみβ（砂ごみや細かな繊維ごみといった比較的嵩の小さなごみ）は、旋回室２５ｂ内の気流に乗って、旋回室２５ｂ内を旋回しながら下方に進む。
そして、ごみβは、１次開口部２５ｆを通過する。そして、ごみβは、１次集塵室３２に落下して捕捉される。つまり、ごみβは、旋回室２５ｂとは独立した空間となっている１次集塵室３２に送られ、旋回気流の影響が少ない状態で１次集塵室３２内部に保持される。
【００４２】
旋回室２５ｂ内で旋回する気流は、旋回室２５ｂの最下部に達すると、その進行方向を上向きに変えて、旋回室２５ｂの中心軸に沿って上昇する。尚、この上昇気流を形成する空気からは、上記で説明した作用により、殆どのごみα及びごみβが除去されている。
ごみα及びごみβが取り除かれた気流（清浄空気）は、排出口２４ａを通過して、旋回室２５ｂの外に排出される。旋回室２５ｂから排出された空気は、排出管２３ｂ内を通過して、流出口２３ａに達する。そして、清浄空気は、流出口２３ａ及び接続口２２を順次通過して、排気風路２１に送られる。
【００４３】
電動送風機７０が吸引動作を行うことにより、上述したように、ごみαが０次集塵室３１に、ごみβが１次集塵室３２に集積されていく。これらのごみα及びβは、集塵部ケース２６を集塵ユニット１３から取り外すことにより、簡単に捨てることができる。
また、ごみα、ごみβは、旋回室２５ｂから独立した空間である０次集塵室３１、１次集塵室３２に保持される。つまり、旋回気流は、ごみが蓄積される集塵室内部をほとんど通過することなく、含塵空気からごみである塵挨と気流を分離する。従って、ごみに含まれる臭い等が旋回気流に混ざることを防止でき、集塵ユニット１３から排出される空気をよりクリーンにすることができる。
【００４４】
次に、収容ユニット１２の内部に構成される排気風路形成部１７は、排気風路２１を形成する。排気風路２１は、集塵ユニット１３において塵埃が取り除かれた空気を排気口５０に導くための風路である。
すなわち、排気風路２１には、集塵ユニット１３から清浄な空気が流入する。排気風路形成部１７の一端の開口は、流出口２３ａとの接続口２２を形成する。
接続口２２は、収容ユニット１２の上面において、左右方向の中央付近に配置される。排気風路形成部１７の他端は、収容ユニット１２の外部に向けて開口する。排気風路形成部１７のこの他端は、排気口５０を形成する。
【００４５】
ここで、接続口２２から排気口５０に至る排気風路２１について説明する。
図９を参照すると、排気風路２１には電動送風機７０が設けられている。電動送風機７０は、電気掃除機１に形成された風路に気流を発生させる。電気掃除機１に形成された風路には、例えば、外部から掃除機本体６に含塵空気を流入させるための風路、吸気風路１９、集塵ユニット１３に形成された風路及び排気風路２１が含まれる。
また、電動送風機７０は、吸込み口１０ａが上方に向け開口し、送風機排出口１０ｂが側面に開口し、排気風路２１の内部に設けられている。
接続口２２と電動送風機７０の間（電動送風機の上流側）には、ＨＥＰＡフィルター２１ａが設けられている。また、電動送風機７０の前方（電動送風機の下流側）には、ＵＬＰＡフィルター２１ｂが設けられている。
【００４６】
このように形成された排気風路２１を流れる気流は、接続口２２から下方向に向けて流れ、ＨＥＰＡフィルター２１ａを通過したのち電動送風機７０の吸込み口１０ａに吸込まれ、電動送風機７０の送風機排出口１０ｂから前方に向けて噴き出され、ＵＬＰＡフィルター２１ｂを通過したのち下方向に流れ、電動送風機７０の下方に位置する排気風路２１を形成する空間を流れたのち、後方に向けて開口する排気口５０へと至る。
【００４７】
このように、電動送風機７０の上流側に、集塵性能が高いＨＥＰＡフィルター２１ａを設けることで、集塵ユニット１３で捕集しきれない塵挨を捕集することができ、排気をよりきれいにすることができる。
また、電動送風機７０の下流側にＵＬＰＡフィルター２１ｂを設けることで、電動送風機７０の内部から出るカーボンなどの塵挨を捕集することができ、電動送風機７０から出る排気をきれいにすることができる。
尚、電動送風機７０から排気口５０へ至る排気風路２１は、排気洩れを防ぐシール構造となっており、電動送風機７０からの排気が、排気口５０から集中して排気されるように構成されている。これにより、排気口５０からでる排気の風速を強くすることができる。
【００４８】
ここで、図９〜図１２を参照して、排気口５０について説明する。
排気口５０は、電動送風機７０の後方であって、後部収容体１４の後面に位置している。排気口５０は前後方向に延びる筒状に形成されており、前側の端には開口を遮るように格子５０ａが設けられている。
排気口５０の内形状は、サクションホース５の接続部５ｂが接続可能な形状をなしている。つまり、排気口５０には、接続部５ｂが接続可能である排気側ホース接続口が形成されている。尚、接続部５ｂが接続した状態において、サクションホース５と排気口５０は一連の空間を成し、排気口５０から排出される気流である排気が、サクションホース５の内部に流入可能となる。
【００４９】
これにより、サクションホース５に排気の気流を導入することができるので、サクションホース５の接続パイプ４が接続される側にブロアー用のアタッチメント６０を取り付けることで、アタッチメント６０から排気流をブロアーの気流として噴き出すことができ、塵埃を吹き飛ばすブロアーとして用いることができる。尚、アタッチメント６０は、ブロアーとして用いる際の使用用途に応じて、形状が異なるものと交換して用いてもよい。また、アタッチメント６０を用いずに、直接接続パイプ４からブロアーの気流を噴き出して用いてもよい。
【００５０】
特に、本実施の形態では、上記のように、旋回室２５ｂから独立した空間である０次集塵室３１、１次集塵室３２にごみα、ごみβが保持される集塵ユニット１３を用いているので、集塵ユニット１３を流れる気流は、ごみが蓄積される集塵室内部をほとんど通過することがなく、ごみに含まれる臭い等が排気流に混ざりにくい。
つまり、ブロアーの気流に用いる排気流が、クリーンな状態であり、集塵ユニット１３にごみを貯めた状態であっても、ごみの臭いなどを気にせずブロアーとして用いることができる。
【００５１】
また、排気口５０の近傍には、サクションホース５の接続部５ｂが接続した際に、接続端子５ｃを受け入れて接続する接続部となる排気側端子受け部５０ｂが設けられている。この排気側端子受け部５０ｂは、制御手段と電気的に接続しており、吸気側端子受け部９ａと同様に、接続端子５ｃと接続することで、操作表示部８が制御手段に電気的に接続する。
これにより、操作表示部８は、本体６（制御手段）から電力が供給され、制御信号の受信をし、使用者がスイッチを押圧操作することによる信号を制御手段に出力できる。このため、操作表示部８から電動送風機７０の出力を変更することが可能となる。
【００５２】
つまり、使用者がハンドル７を持ったまま操作表示部８を操作して、電動送風機７０の出力を変更して、排気口５０から排出される排気風の強さを調整することができる。従って、ブロアーとして用いる場合であっても、使用者がハンドルを持ったままブロアーの強さを調整することができる。
【００５３】
また、接続部５ｂには係合手段５ｄが設けられている。排気口５０には係合手段５ｄが係合する係合受け部５０ｃが設けられる。係合受け部５０ｃも排気側端子受け部５０ｂもサクションホース５が接続した状態において、上側に位置する。
【００５４】
また、排気口５０に、接続部５ｂが接続すると信号を制御手段に入力する接続検出スイッチを設けてもよい。このように、制御手段が排気口５０に接続部５ｂが接続したか否かを検出可能に構成することで、ブロワー運転の際の電動送風機７０の動作を、通常の掃除を行う際の動作と異ならせることができる。
また、制御手段が排気口５０に接続部５ｂが接続したか否かを検出可能に構成することで、ブロワー運転状態である旨を操作表示部に表示することができる。
【００５５】
ここで、本実施の形態では、電気掃除機は、集塵方式としてサイクロン式を採用したものについて説明しているが、サイクロン式に限らず、他の集塵方式を採用したものであってもよい。また、キャニスタータイプの電気掃除機に限られるものでもない。
【００５６】
次に、図１３は、この発明の実施の形態１における電気掃除機１の構成を示すブロック図である。
上述した通り、図１３において、２７は商用交流電源、７０は電動送風機である。
図１３は、電気掃除機１に備えられた電源コード１１をコンセントに差し込み、電動送風機７０を商用交流電源２７に接続した状態を示している。７１は双方向性サイリスタである。電動送風機７０及び双方向性サイリスタ７１は、商用交流電源２７に直列に接続される。
【００５７】
７２は電流センサ、７３は電源同期検出手段である。電流センサ７２は、電動送風機７０に流れる電流を検出するための信号を出力する。例えば、電流センサ７２は、電動送風機７０に直列に接続されたカレントトランスやシャント抵抗を備える。かかる場合、電流センサ７２は、所定の電圧降下法によって降下させた電圧を出力する。
電源同期検出手段７３は、商用交流電源２７の同期ポイント（ゼロクロス点）を検出するための回路からなる。
【００５８】
マイクロコンピュータ８０は、電気掃除機１の各種制御機能を司る。マイクロコンピュータ８０は、例えば、電流検出手段８１、制御手段８２、報知手段８３、接続検出手段８４を備えている。
電流検出手段８１は、電動送風機７０に流れる電流を検出する。電流検出手段８１は、例えば、電流センサ７２が出力する電流値に基づいて、電動送風機７０に流れる電流を検出する。
【００５９】
報知手段８３は、接続検出手段８４が判定した結果に基づき表示部８ｂを制御する。
接続検出部８５は、例えば機械式の検出方法（マイクロＳＷ等）や赤外線センサ等を用いてサクションホース５が接続された状態かを検出する検出部である。
接続検出手段８４は、接続検出部８５の情報を基に、排気側ホース接続口にサクションホース５が接続されたかの判断を行い、その判断を受けて、制御手段８２が電動送風機７０の出力を制御する。
【００６０】
制御手段８２は、電動送風機７０に印加される電圧の位相角を制御し、電動送風機７０への入力電流を制御して出力を変化させる。制御手段８２は、電源同期検出手段７３によって検出された電源同期ポイントに基づいて、電動送風機７０への入力電流が所望の値になるように位相角の制御を行う。
また、制御手段８２には、操作部８aからの信号や、電流検出手段８１の判定結果が入力される。例えば、制御手段８２には、操作部８ａから、入力切り替えや、起動・停止といった操作情報が入力される。
【００６１】
次に、図１４に示す制御フローを参照して、本実施の形態の動作を説明する。尚、この制御フローは、制御手段８２が実行する。
ステップ１（以下、ステップを「Ｓ」とする）において、商用交流電源２７に電源コード１１が差し込まれるとＳ２に移行する。
【００６２】
Ｓ２において、排気口５０（排気側ホース接続口）にサクションホース５が差し込まれているか否かを判断する（サクションホース５が接続された状態かを接続検出部８５が検出し、接続検出手段８４が接続検出部８５の情報を基にＳ３の排気口接続専用処理を行うかＳ７の通常接続専用処理を行うか判断する）。排気口５０にサクションホース５が差し込まれていなければ、Ｓ７に移行して通常接続専用処理を開始してＳ８に移行する。
通常接続専用処理とは、吸気側ホース接続口９にサクションホース５を接続して動作させ、床面から塵挨を吸引する吸引動作を行う際の動作処理である。
【００６３】
通常接続専用処理の際の動作制御として、次のようなものがある。
（１）電動送風機７０を動作させる際や出力を上げる際に、徐々に入力電流を増やすことで出力を変化させて設定された出力に到達させる出力制御。
（２）集塵ユニット１３に保持されている塵挨の量に応じて、電動送風機７０の出力を変化させる出力制御。例えば、電動送風機７０の出力を変化させて吸引力を「弱」「中」「強」と調整できる電気掃除機の場合、「中」運転に設定されている状態において、集塵ユニット１３に保持されているゴミが所定の量より多い場合、電動送風機７０の出力を１０００[Ｗ]で動作させ、ゴミが所定の量より少ない場合、電動送風機７０の出力を９００[Ｗ]で動作させる。つまり、集塵ユニット１３に保持されている塵挨の量が多いほど、電動送風機７０をより大きな電力で動作させる。
【００６４】
この様な通常接続専用処理における制御は、電気掃除機１が通常行う塵挨の吸引動作を行う際に、より少ない電力で動作するためのものである。
【００６５】
次に、Ｓ８において、操作部８ａから運転を開始する信号が入力されなければ、処理を終了する。Ｓ８において、操作部８ａから運転を開始する信号が入力されれば、Ｓ９に移行して電動送風機７０を起動する処理を行いＳ１０に移行する。Ｓ１０では、表示部８ｂにおいて、通常接続専用処理を行っている旨の表示を行い、処理を終了する。
【００６６】
尚、Ｓ９において、電動送風機７０は、通常接続専用処理に対応した制御で動作する。例えば、電動送風機７０を起動後、徐々に出力を上げて設定された吸引力となるように制御する。また、Ｓ１０における表示処理では、通常接続専用処理、つまり、通常の掃除動作が行われている旨の表示が行われる。この表示は、通常の掃除を行っている旨の表示（例えば、「お掃除モード」「お掃除中」）に対応するＬＥＤが点灯する等により行われる。
【００６７】
Ｓ２において、排気口５０にサクションホース５が差し込まれていれば、Ｓ３に移行して排気口接続専用処理を開始してＳ４に移行する。
排気口接続専用処理とは、排気口５０に形成された排気側ホース接続口にサクションホース５を接続して電動送風機７０を動作させ、排気を用いて対象となる位置から埃などを吹き飛ばすブロアー動作を行う際の動作処理である。
【００６８】
ブロアー動作は、埃等を効率よく吹きとばすためと、塵挨を吸引する吸引動作と比較すると短時間で行うことと、から、排気口接続専用処理の際の動作制御として、次のようなものがある。
（１）電動送風機７０を動作させる際に、ブロアー動作に適した風量となるまで、一気に出力を上げる動作制御を行う（電動送風機７０の出力を一気に最高出力に上げる）。
（２）集塵ユニット１３に塵埃が保持された状態で用いる場合であっても、保持されている塵挨の量に関係なく、電動送風機７０の出力を一気に最高出力に上げる。
【００６９】
この様な排気口接続専用処理における制御は、電動送風機７０を起動して、なるべく早く埃などを吹き飛ばすための制御である。
【００７０】
次に、Ｓ４において、操作部８ａから運転を開始する信号が入力されなければ、処理を終了する。Ｓ４において、操作部８ａから運転を開始する信号が入力されれば、Ｓ５に移行して電動送風機７０を起動する処理を行いＳ６に移行する。Ｓ６では、表示部８ｂにおいて、排気口接続専用処理を行っている旨の表示を行い、処理を終了する。
【００７１】
尚、Ｓ５において、電動送風機７０の動作は、排気口接続専用処理に対応したものである。例えば、電動送風機７０が起動されると、ブロアーとして用いるのに適した風量となるように、一気に出力を上げる制御がなされる。
また、Ｓ６における表示処理では、排気口接続専用処理、つまり、ブロアー動作が行われている旨の表示が行われる。この表示は、ブロアーモードを行っている旨の表示（例えば、「ブロアーモード」「ブロアー動作中」）に対応するＬＥＤが点灯する等により行われる。
【００７２】
以上のように、電気掃除機１の電動送風機７０や表示部８ｂは、通常の用い方である床面から塵挨を吸引する吸引動作を行う際も、排気を用いてブロアーとして用いるブロアーモードの場合も、それぞれ適した制御をされる。
特に、ブロアーモードの際に電動送風機の出力は、電動送風機が起動したのち、ブロアーに適した排気風となる出力まで一気にあげられる。これにより、効率よく埃などを吹き飛ばすことが可能である。
【００７３】
（実施の形態２）
次に、図１５に示す制御フローを参照して、実施の形態２の動作を説明する。電気掃除機１の構成については、実施の形態１と同様であるので説明を省略する。尚、この制御フローは、制御手段８２が実行する。
Ｓ１１において、商用交流電源２７に電源コード１１が差し込まれるとＳ１２に移行する。
Ｓ１２において、排気口５０（排気側ホース接続口）にサクションホース５が差し込まれているか否かを判断する（サクションホース５が接続された状態かを接続検出部８５が検出し、接続検出手段８４が接続検出部８５の情報を基にＳ１３の排気口接続専用処理を行うかＳ２０の通常接続専用処理を行うか判断する）。排気口５０にサクションホース５が差し込まれていなければ、Ｓ２０に移行して通常接続専用処理を開始してＳ２１に移行する。
【００７４】
次に、Ｓ２１において、操作部８ａから運転を開始する信号が入力されなければ、処理を終了する。Ｓ２１において、操作部８ａから運転を開始する信号が入力されれば、Ｓ２２に移行して電動送風機７０を起動する処理を行いＳ２３に移行する。Ｓ２３では、表示部８ｂにおいて、通常接続専用処理を行っている旨の表示を行い、処理を終了する。
【００７５】
Ｓ１２において、排気口５０にサクションホース５が差し込まれていれば、Ｓ１３に移行して排気口接続専用処理を開始してＳ１４に移行する。
次に、Ｓ１４において、操作部８ａから運転を開始する信号が入力されなければ、処理を終了する。Ｓ１４において、操作部８ａから運転を開始する信号が入力されれば、Ｓ１５に移行して電動送風機７０を起動する処理を行いＳ１６に移行する。Ｓ１６では、表示部８ｂにおいて、排気口接続専用処理を行っている旨の表示を行い、Ｓ１７に移行する。
【００７６】
Ｓ１７では、操作部８ａがＯＮ状態となっているか（ＯＮ状態が継続しているか）を判断する。つまり、操作部８ａを構成するスイッチを使用者が押し続けているか否かを判断する。
Ｓ１７において、操作部８ａがＯＮ状態であれば、電動送風機７０を動作させた状態で処理を終了する。Ｓ１７において、操作部８ａがＯＮ状態でなければ、Ｓ１８に移行する。Ｓ１８では、電動送風機７０の動作を停止する処理を行い、Ｓ１９に移行する。Ｓ１９では、表示部８ｂにおいて行われている、排気口接続専用処理を行っている旨の表示を停止して、処理を終了する。
【００７７】
以上のように、電気掃除機１の電動送風機７０や表示部８ｂは、通常の用い方である床面から塵挨を吸引する吸引動作を行う際も、排気を用いてブロアーとして用いるブロアーモードの場合も、それぞれ適した制御をされる。
特に、操作部８ａからの入力が継続してＯＮ状態の場合に、電動送風機７０を動作させるように構成しているので、使用者が必要なタイミングでブロアー動作を行うことができる。
【００７８】
（実施の形態３）
次に、図１６〜図１７を参照して、実施の形態３について説明する。実施の形態１と同じ構成については、同じ符号を付し説明を省略する。
図１６を参照すると、マイクロコンピュータ８０は、排気温度検出手段８７を有する。
排気温度検出手段８７は、制御手段８２に検出結果を出力可能に接続している。また、電気掃除機１は、電動送風機７０から流れる排気の温度を検出する排気温度検出部８６を有する。
排気温度検出部８６は、排気温度検出手段８７に検出結果を出力可能に接続している。排気温度検出手段８７は、排気温度検出部８６の情報を基に排気の温度を検出し、この排気温度の検出結果に基づき、制御手段８２が電動送風機７０の出力を制御する。
【００７９】
図１７に示す制御フローを参照して、実施の形態３の動作を説明する。電気掃除機１の構成については、実施の形態１と同様なので説明を省略する。尚、この制御フローは、制御手段８２が実行する。
Ｓ３１において、商用交流電源２７に電源コード１１が差し込まれるとＳ３２に移行する。
Ｓ３２において、排気口５０（排気側ホース接続口）にサクションホース５が差し込まれているか否かを判断する（サクションホース５が接続された状態かを接続検出部８５が検出し、接続検出手段８４が接続検出部８５の情報を基にＳ３３の排気口接続専用処理を行うかＳ３９の通常接続専用処理を行うか判断する）。排気口５０にサクションホース５が差し込まれていなければ、Ｓ３９に移行して通常接続専用処理を開始してＳ４０に移行する。
【００８０】
次に、Ｓ４０において、操作部８ａから運転を開始する信号が入力されなければ、処理を終了する。Ｓ４０において、操作部８ａから運転を開始する信号が入力されれば、Ｓ４１に移行して電動送風機７０を起動する処理を行いＳ４２に移行する。Ｓ４２では、表示部８ｂにおいて、通常接続専用処理を行っている旨の表示を行い、処理を終了する。
【００８１】
Ｓ３２において、排気口５０にサクションホース５が差し込まれていれば、Ｓ３３に移行して排気口接続専用処理を開始してＳ３４に移行する。
次に、Ｓ３４において、操作部８ａから運転を開始する信号が入力されなければ、処理を終了する。Ｓ３４において、操作部８ａから運転を開始する信号が入力されれば、Ｓ３５に移行して電動送風機７０を起動する処理を行いＳ３６に移行する。Ｓ３６では、表示部８ｂにおいて、排気口接続専用処理を行っている旨の表示を行い、Ｓ３７に移行する。
【００８２】
Ｓ３７では、排気温度検出部８６が検出した排気温度が閾値以上であるか否かを判断する。つまり、排気温度が高温であるか否かを判断する。
Ｓ３７において、排気温度が閾値以下であれば、電動送風機７０を動作させた状態で処理を終了する。Ｓ３７において、排気温度が閾値以上であれば、Ｓ３８に移行する。Ｓ３８では、電動送風機７０の出力を低下又は電動送風機７０を停止する処理を行い、処理を終了する。
尚、Ｓ３７における排気温度の閾値は、使用者が触れても火傷をすることなく、また、電気掃除機１の各部が機能を損なう事が無い温度に設定される。
【００８３】
以上のように、電気掃除機１の電動送風機７０や表示部８ｂは、通常の用い方である床面から塵挨を吸引する吸引動作を行う際も、排気を用いてブロアーとして用いるブロアーモードの場合も、それぞれ適した制御をされる。
特に、ブロアー動作を行う際に、排気温度が高温である場合は、電動送風機７０の出力が低下又は電動送風機７０が停止するので、安全に使用することができる。
【００８４】
（実施の形態４）
次に、図１８に示す制御フローを参照して、実施の形態４の動作を説明する。電気掃除機１の構成については、実施の形態１と同様であるので説明を省略する。尚、この制御フローは、制御手段８２が実行する。
Ｓ５１において、商用交流電源２７に電源コード１１が差し込まれるとＳ５２に移行する。
Ｓ５２において、排気口５０（排気側ホース接続口）にサクションホース５が差し込まれているか否かを判断する（サクションホース５が接続された状態かを接続検出部８５が検出し、接続検出手段８４が接続検出部８５の情報を基にＳ５３の排気口接続専用処理を行うかＳ６０の通常接続専用処理を行うか判断する）。排気口５０にサクションホース５が差し込まれていなければ、Ｓ６０に移行して通常接続専用処理を開始してＳ６１に移行する。
【００８５】
次に、Ｓ６１において、操作部８ａから運転を開始する信号が入力されなければ、処理を終了する。Ｓ６１において、操作部８ａから運転を開始する信号が入力されれば、Ｓ６２に移行して電動送風機７０を起動する処理を行いＳ６３に移行する。Ｓ６３では、表示部８ｂにおいて、通常接続専用処理を行っている旨の表示を行い、処理を終了する。
【００８６】
Ｓ５２において、排気口５０にサクションホース５が差し込まれていれば、Ｓ５３に移行して排気口接続専用処理を開始してＳ５４に移行する。
次に、Ｓ５４において、操作部８ａから運転を開始する信号が入力されなければ、処理を終了する。Ｓ５４において、操作部８ａから運転を開始する信号が入力されれば、Ｓ５５に移行して電動送風機７０を起動する処理を行いＳ５６に移行する。Ｓ５６では、表示部８ｂにおいて、排気口接続専用処理を行っている旨の表示を行い、Ｓ５７に移行する。
【００８７】
Ｓ５７では、排気温度検出部８６が検出した排気温度が閾値以上であるか否かを判断する。つまり、排気温度が高温であるか否かを判断する。
Ｓ５７において、排気温度が閾値以下であれば、電動送風機７０を動作させた状態で処理を終了する。Ｓ５７において、排気温度が閾値以上であれば、Ｓ５８に移行する。Ｓ５８では、電動送風機７０の出力を低下又は電動送風機７０を停止する処理を行い、Ｓ５９に移行する。
Ｓ５９では、表示部８ｂにおいて、電動送風機７０の出力を低下又は電動送風機７０を停止した旨の表示を行い、処理を終了する。
【００８８】
以上のように、電気掃除機１の電動送風機７０や表示部８ｂは、通常の用い方である床面から塵挨を吸引する吸引動作を行う際も、排気を用いてブロアーとして用いるブロアーモードの場合も、それぞれ適した制御をされる。
特に、ブロアー動作を行う際に、排気温度が高温である場合は、電動送風機７０の出力が低下又は電動送風機７０が停止するので、安全に使用することができる。また、電動送風機７０の出力が低下又は電動送風機７０が停止した状態を、表示部８ｂで確認することができる。
【００８９】
（実施の形態５）
次に、図１９に示す制御フローを参照して、実施の形態５の動作を説明する。電気掃除機１の構成については、実施の形態１と同様なので説明を省略する。尚、この制御フローは、制御手段８２が実行する。
Ｓ７１において、商用交流電源２７に電源コード１１が差し込まれるとＳ７２に移行する。
Ｓ７２において、排気口５０（排気側ホース接続口）にサクションホース５が差し込まれているか否かを判断する（サクションホース５が接続された状態かを接続検出部８５が検出し、接続検出手段８４が接続検出部８５の情報を基にＳ７３の排気口接続専用処理を行うかＳ８１の通常接続専用処理を行うか判断する）。排気口５０にサクションホース５が差し込まれていなければ、Ｓ８１に移行して通常接続専用処理を開始してＳ８２に移行する。
【００９０】
次に、Ｓ８２において、操作部８ａから運転を開始する信号が入力されなければ、処理を終了する。Ｓ８２において、操作部８ａから運転を開始する信号が入力されれば、Ｓ８３に移行して電動送風機７０を起動する処理を行いＳ８４に移行する。Ｓ８４では、表示部８ｂにおいて、通常接続専用処理を行っている旨の表示を行い、処理を終了する。
【００９１】
Ｓ７２において、排気口５０にサクションホース５が差し込まれていれば、Ｓ７３に移行して排気口接続専用処理を開始してＳ７４に移行する。
次に、Ｓ７４において、操作部８ａから運転を開始する信号が入力されなければ、処理を終了する。Ｓ７４において、操作部８ａから運転を開始する信号が入力されれば、Ｓ７５に移行して電動送風機７０を起動する処理を行いＳ７６に移行する。Ｓ７６では、表示部８ｂにおいて、排気口接続専用処理を行っている旨の表示を行い、Ｓ７７に移行する。
【００９２】
Ｓ７７では、排気温度検出部８６が検出した排気温度が閾値以上であるか否かを判断する。つまり、排気温度が高温であるか否かを判断する。Ｓ７７において、排気温度が閾値以下であれば、電動送風機７０を動作させた状態で処理を終了する。Ｓ７７において、排気温度が閾値以上であれば、Ｓ７８に移行する。
Ｓ７８では、排気温度が閾値以上となってから所定時間経過したか否かを判断する。Ｓ７８において、排気温度が閾値以上となってから所定時間経過するとＳ７９に移行する。
Ｓ７９では、電動送風機７０の出力を低下又は電動送風機７０を停止する処理を行い、Ｓ８０に移行する。Ｓ８０では、表示部８ｂにおいて、電動送風機７０の出力を低下又は電動送風機７０を停止させた旨の表示を行い、処理を終了する。
排気温度が閾値以上となってから所定時間経過したら電動送風機７０の出力を制御するようにすることにより、（外気温の影響等で）排気温度に変化があった場合に電動送風機７０を停止させないで継続使用することができるので、使い勝手の良い掃除機が提供できる。
【００９３】
以上のように各部を制御することにより、電気掃除機１を通常の用い方である床面から塵挨を吸引する吸引動作を行う際も、排気を用いてブロアーとして用いるブロアーモードの場合も、それぞれ適した電動送風機７０や表示部８ｂの制御をおこなうことができる。
特に、ブロアー動作を行う際に、排気温度が高温である場合は、電動送風機７０の出力が低下又は電動送風機７０が停止するので、安全に使用することができる。また、電動送風機７０の出力が低下又は電動送風機７０が停止した状態を、表示部８ｂで確認することができる。
【００９４】
尚、排気口５０に差し込まれるサクションホース５は、吸気側ホース接続口９に差し込み塵挨を吸引するときに用いるものでもよく、また、ブロアー動作専用のホースを用いてもよい。
【符号の説明】
【００９５】
１  電気掃除機、２  吸込口体、３  吸引パイプ、４  接続パイプ、５  サクションホース、５ａ  リード線、５ｂ  接続部、５ｃ  接続端子、５ｄ  係合手段、５ｅ  係合解除ボタン、６  掃除機本体、７  ハンドル、８  操作表示部、９  吸気側ホース接続口、９ａ  吸気側端子受け部、１１  電源コード、１２  収容ユニット、１３  集塵ユニット、１４  後部収容体、１５  前部収容体、５０  排気口、５０ａ  格子、５０ｂ  排気側端子受け部、５０ｃ  係合受け部、６０  アタッチメント、７０  電動送風機
【図１】
0006413879.tif 000002
【図２】
0006413879.tif 000003
【図３】
0006413879.tif 000004
【図４】
0006413879.tif 000005
【図５】
0006413879.tif 000006
【図６】
0006413879.tif 000007
【図７】
0006413879.tif 000008
【図８】
0006413879.tif 000009
【図９】
0006413879.tif 000010
【図１０】
0006413879.tif 000011
【図１１】
0006413879.tif 000012
【図１２】
0006413879.tif 000013
【図１３】
0006413879.tif 000014
【図１４】
0006413879.tif 000015
【図１５】
0006413879.tif 000016
【図１６】
0006413879.tif 000017
【図１７】
0006413879.tif 000018
【図１８】
0006413879.tif 000019
【図１９】
0006413879.tif 000020